(57)【要約】【課題】回転アンテナの回転方向に関係なく、任意の特定位置で回転アンテナを止めることができる調理器を提供する。【解決手段】マイクロ波を拡散する回転アンテナ９と、この回転アンテナ９を制御する回転制御手段と、回転アンテナ９の軸１０に設けたカム１７とこのカム１７に形成したスイッチ作動部により開閉されるスイッチ１８とからなり回転アンテナ９の位置を検出する位置検出手段とを備え、スイッチ作動部は、第一のスイッチ作動部１７ａと第二のスイッチ作動部１７ｂと第三のスイッチ作動部１７ｃとからなり、第一のスイッチ作動部１７ａと第二のスイッチ作動部１７ｂとの第一の間隔（α）と、第二のスイッチ作動部１７ｂと第三のスイッチ作動部１７ｃとの第二の間隔（β）と、第三のスイッチ作動部１７ｃと第一のスイッチ作動部１７ａとの第三の間隔（γ）が全て異なっている。【選択図】              図３
2004265751.tif 000002
【特許請求の範囲】
【請求項１】
外装と、この外装内に形成され、前面に開口を有し食品を収納する加熱室と、この加熱室の前面開口を開閉するドアと、前記加熱室内にマイクロ波を供給するマグネトロンと、前記加熱室内の下方に配置され食品を載せる棚と、この棚と前記加熱室の底壁との間に設けられマグネトロンの発振するマイクロ波を拡散する回転アンテナと、この回転アンテナの回転動作を制御する回転制御手段と、前記回転アンテナの軸に設けたカムとこのカムに形成したスイッチ作動部により開閉されるスイッチとからなり前記回転アンテナの位置を検出する位置検出手段とを備えた調理器において、前記スイッチ作動部は、第一のスイッチ作動部と第二のスイッチ作動部と第三のスイッチ作動部とからなり、前記第一のスイッチ作動部と第二のスイッチ作動部との第一の間隔と、前記第二のスイッチ作動部と第三のスイッチ作動部との第二の間隔と、前記第三のスイッチ作動部と第一のスイッチ作動部との第三の間隔が全て異なっていることを特徴とする調理器。
【請求項２】
外装と、この外装内に形成され、前面に開口を有し食品を収納する加熱室と、この加熱室の前面開口を開閉するドアと、前記加熱室内にマイクロ波を供給するマグネトロンと、前記加熱室内の下方に配置され食品を載せるターンテーブルと、このターンテーブルの回転動作を制御する回転制御手段と、前記ターンテーブルの軸に設けたカムとこのカムに形成したスイッチ作動部により開閉されるスイッチとからなり前記ターンテーブルの位置を検出する位置検出手段とを備えた調理器において、前記スイッチ作動部は、第一のスイッチ作動部と第二のスイッチ作動部と第三のスイッチ作動部とからなり、前記第一のスイッチ作動部と第二のスイッチ作動部との第一の間隔と、前記第二のスイッチ作動部と第三のスイッチ作動部との第二の間隔と、前記第三のスイッチ作動部と第一のスイッチ作動部との第三の間隔が全て異なっていることを特徴とする調理器。
【発明の詳細な説明】
【０００１】
【発明の属する技術分野】
本発明は、調理器に関するものである。
【０００２】
【従来の技術】
従来の調理器で、マイクロ波を拡散する回転アンテナを駆動するモータとして、同期モータを使用しているものがある。（例えば、特許文献１参照。）
従来の調理器で、ターンテーブルに食品を載せて加熱調理するものがある。（例えば、特許文献２参照。）
（問題点）
マイクロ波を拡散する回転アンテナや、食品を載置するターンテーブルの位置を特定の位置にするため、カム機構を利用してスイッチをＯＮ−ＯＦＦさせ、そのＯＮ−ＯＦＦ情報により、回転アンテナや、ターンテーブルを回転駆動するモータを制御している。この駆動モータとして、双方向回転が一般的な同期モータが使用されているが、一方向の回転に限定して使用されている。そのため、モータ内部に回転方向を規制する部品が必要となり、構造が複雑になりコストがかかっている。また、回転方向を規制するためのギアの当たり音や回転アンテナのふらつき等が発生する。
【０００３】
【特許文献１】
特開２００１−２４１６７０号公報（第１頁、第１図）
【特許文献２】
特開２００１−２２７７４８号公報（第１頁、第１図）
【０００４】
【発明が解決しようとする課題】
本発明は、回転アンテナの位置検出にカムとスイッチを使用するものにおいて、回転アンテナの回転方向に関係なく、任意の特定位置で回転アンテナを止めることができる調理器を提供する。
【０００５】
本発明は、ターンテーブルの位置検出にカムとスイッチを使用するものにおいて、ターンテーブルの回転方向に関係なく、任意の特定位置でターンテーブルを止めることができる調理器を提供する。
【０００６】
【課題を解決するための手段および発明の効果】
本発明に係る第一の調理器は、外装と、この外装内に形成され、前面に開口を有し食品を収納する加熱室と、この加熱室の前面開口を開閉するドアと、前記加熱室内にマイクロ波を供給するマグネトロンと、前記加熱室内の下方に配置され食品を載せる棚と、この棚と前記加熱室の底壁との間に設けられマグネトロンの発振するマイクロ波を拡散する回転アンテナと、この回転アンテナの回転動作を制御する回転制御手段と、前記回転アンテナの軸に設けたカムとこのカムに形成したスイッチ作動部により開閉されるスイッチとからなり前記回転アンテナの位置を検出する位置検出手段とを備えた調理器において、前記スイッチ作動部は、第一のスイッチ作動部と第二のスイッチ作動部と第三のスイッチ作動部とからなり、前記第一のスイッチ作動部と第二のスイッチ作動部との第一の間隔と、前記第二のスイッチ作動部と第三のスイッチ作動部との第二の間隔と、前記第三のスイッチ作動部と第一のスイッチ作動部との第三の間隔が全て異なっていることを特徴とする。
【０００７】
従って、前記スイッチ作動部は、第一のスイッチ作動部と第二のスイッチ作動部と第三のスイッチ作動部とからなり、前記第一のスイッチ作動部と第二のスイッチ作動部との第一の間隔と、前記第二のスイッチ作動部と第三のスイッチ作動部との第二の間隔と、前記第三のスイッチ作動部と第一のスイッチ作動部との第三の間隔が全て異なっているので、前記回転アンテナの回転を駆動するモータとして双方向回転の同期モータを使用しても、前記三つの時間間隔を検出することにより、同期モータの回転方向が検知できる。よって、回転方向に関係なく任意の特定位置で前記回転アンテナを止めることができる。また、構造も簡単でコストもかからない。
【０００８】
本発明に係る第二の調理器は、外装と、この外装内に形成され、前面に開口を有し食品を収納する加熱室と、この加熱室の前面開口を開閉するドアと、前記加熱室内にマイクロ波を供給するマグネトロンと、前記加熱室内の下方に配置され食品を載せるターンテーブルと、このターンテーブルの回転動作を制御する回転制御手段と、前記ターンテーブルの軸に設けたカムとこのカムに形成したスイッチ作動部により開閉されるスイッチとからなり前記ターンテーブルの位置を検出する位置検出手段とを備えた調理器において、前記スイッチ作動部は、第一のスイッチ作動部と第二のスイッチ作動部と第三のスイッチ作動部とからなり、前記第一のスイッチ作動部と第二のスイッチ作動部との第一の間隔と、前記第二のスイッチ作動部と第三のスイッチ作動部との第二の間隔と、前記第三のスイッチ作動部と第一のスイッチ作動部との第三の間隔が全て異なっていることを特徴とする。
【０００９】
従って、前記スイッチ作動部は、第一のスイッチ作動部と第二のスイッチ作動部と第三のスイッチ作動部とからなり、前記第一のスイッチ作動部と第二のスイッチ作動部との第一の間隔と、前記第二のスイッチ作動部と第三のスイッチ作動部との第二の間隔と、前記第三のスイッチ作動部と第一のスイッチ作動部との第三の間隔が全て異なっているので、前記ターンテーブルの回転を駆動するモータとして双方向回転の同期モータを使用しても、前記三つの時間間隔を検出することにより、同期モータの回転方向が検知できる。よって、回転方向に関係なく任意の特定位置で前記ターンテーブルを止めることができる。また、構造も簡単でコストもかからない。
【００１０】
【発明の実施の形態】
本発明の実施形態の調理器を、図面を参照して説明する。図１は第一の発明の調理器のドアを開けた時の斜視図、図２は図１のＡ−Ｂ線断面図、図３は図２を下側より見た要部平面図、図４は第一の発明の調理器のブロック回路図、図５は第二の発明の調理器の図１に相当する図、図６は第二の発明の調理器の図２に相当する図、図７は第二の発明の調理器のブロック回路図である。
【００１１】
図１について説明する。調理器は正面を除いて外装１で覆われ、食品を収納する加熱室３の前面開口２を開閉するドア４が設けられている。前記ドア４には突起４ａが設けられている。前記ドア４を閉じると、キャビティ前面板５に形成された穴５ａを介して、突起４ａが調理器本体内に入り、そこに配置されたドアスイッチ４１（図４）を作動する。また、前記加熱室３の下方には食品を載せる棚６が設けられている。なお、前記ドア４の右側には操作パネル７が設けられている。
【００１２】
図２について説明する。赤外線センサー１９には、赤外線量を検出するための検出孔１９ａが設けられ、食品の温度検出する。加熱室３の外部には、マイクロ波を供給するマグネトロン１２が設けられ、前期マイクロ波は導波管１３を通り加熱室３の底壁１１に形成されているマイクロ波給電口１１ａより加熱室３に導入される。棚８と底壁１１との間にはマグネトロン１２の発振するマイクロ波を拡散する回転アンテナ９が設けられている。回転アンテナ９は軸１０に固定されている。この回転アンテナ９の駆動装置について、次に説明する。双方向回転の同期モータ１４の回転軸１４ａには、駆動ギア１５が固定されている。ギア１６は前記駆動ギア１５と噛み合わされている。前記ギア１６にはカム１７が一体形成されている。また、前記カム１７の近傍にはスイッチ１８が設けられ、同期モータ１４が回転することにより、前記駆動ギア１５を介して前記ギア１６が回転することにより前記カム１７が回転する。そして、前記カム１７に設けているスイッチ作動部（図３）が前記スイッチ１８に設けられているプランジャー１８ａを押すことにより、スイッチ１８は閉じられてＯＮする。前記ギア１６が回転すると、前記軸１０も回転し、前記回転アンテナ９が回転する。
【００１３】
次に、図３について説明する。カム１７には、スイッチ１８を作動するスイッチ作動部が設けられている。このスイッチ作動部は、第一のスイッチ作動部１７ａと第二のスイッチ作動部１７ｂと第三のスイッチ作動部１７ｃとからなっている。前記第一のスイッチ作動部１７ａと第二のスイッチ作動部１７ｂとの第一の間隔（α）と、前記第二のスイッチ作動部１７ｂと第三のスイッチ作動部１７ｃとの第二の間隔（β）と、第三のスイッチ作動部１７ｃと第一のスイッチ作動部１７ａとの第三の間隔（γ）とが全て異なっている。αは９０度（小角度と呼称）、βは１２０度（中角度と呼称）、γは１５０度（大角度と呼称）である。前記第一のスイッチ作動部１７ａと第二のスイッチ作動部１７ｂと第三のスイッチ作動部１７ｃとで前記スイッチ１８のプランジャー１８ａを押す。同期モータ１４が６０ｒｐｍで右回転する場合、１７ａと１７ｂの第一の時間間隔は０．２５秒（小と呼称）、１７ｂと１７ｃとの第二の時間間隔は０．３３秒（中と呼称）、１７ｃと１７ａの第三の時間間隔は０．４２秒（大と呼称）になる。すなはち、前記スイッチ１８は小、中、大の順序でＯＮを繰り返す。同期モータ１４が６０ｒｐｍで右回転する場合は、前記スイッチ１８は０．２５秒（小）、０．４２秒（大）、０．３３秒（中）の順序でＯＮを繰り返す。この時間間隔が制御回路３０のマイクロコンピュター（図４）に入力され、前記の時間間隔（大）の後が（小）になるか（中）になるかでマイクロコンピュターは双方向回転の同期モータ１４の回転方向を判定する。そして、前記回転アンテナ９を任意の特定位置で止めるため、前記時間間隔（大）のスイッチ作動部（１７ａまたは１７ｃ）を基準位置として、基準位置の位置より何秒間同期モータ１４を通電するか制御部で計算し、同期モータ１４の運転を制御する。つまり、右回転の時は１７ａのスイッチ作動部、左回転の時は１７ｃのスイッチ作動部から何秒後に同期モータ１４への通電をＯＦＦすればいいかマイクロコンピュターで計算して、回転アンテナ９の回転方向に関係なく、前記回転アンテナ９を特定位置で止めることができる。また、構造も簡単であるのでコストもかからない。更に、回転アンテナ９のふらつきもない。なお、第一の間隔（α）と、第二の間隔（β）と、第三の間隔（γ）は上記の角度に限定されるものではない。α、β、γが全て異なっていれば、同期モータ１４の回転方向が検知可能である。
【００１４】
次に図４について説明する。調理器は、動作を全体的に制御する制御回路３０を備えている。制御回路３０は、マイクロコンピュターを含む。ヒーュズ３２は、調理器に異常な電流が流れ込むことを防ぐ。制御回路３０と交流電源３１との間には、トランンス３３が接続されている。また、トランンス３３と制御回路３０との間には、整流回路３４、定電圧回路３５が制御回路３０と直列に接続されている。また、制御回路３０には、回転アンテナ通電回路３６、被加熱物位置検出回路３７、および、マグネトロン通電回路３８が接続されており、これらの回路の動作は、制御回路３０により制御されている。さらに、制御回路３０には、操作パネル７、赤外線センサー１９、および回転アンテナ位置検出回路３９が接続されている。操作部パネル７に入力された情報、および赤外線センサー１９の検出出力は、制御回路３０に送られる。また、加熱室３における赤外線センサー１９の視野の位置も、制御回路３０に送られる。被加熱物位置検出回路３７は、赤外線センサー１９の検出出力と赤外線センサー１９の視野の位置から、加熱室３内の食品の位置を検出することができる。より詳しくは、赤外線センサー１９の検出出力に基づいて決定された温度がピークを示したときの、赤外線センサー１９の視野の位置が加熱室３内の棚８上の食品の載置位置であると決定される。回転アンテナ通電回路３６は、同期モータ１４への通電状態を切換えるスイッチ３６ａの開閉を切換えことができる。また、制御回路３０は、同期モータ１４の駆動状況を回転アンテナ位置検出回路３９を介して、検出することができる。より詳しく説明すると、回転アンテナ位置検出回路３９には、カム１７により作動されるスイッチ１８が接続されている。スイッチ１８は、通常は開（ＯＦＦ）状態である。同期モータ１４は、カム１７を介してスイッチ１８の開閉状態を切換えることができる。同期モータ１４は、所定の周期で回転するが、回転する際、一周期で前記カム１７のスイッチ作動部（１７ａ、１７ｂ、１７ｃ）を介してスイッチ１８を３回閉（ＯＮ）状態とする。回転アンテナ位置検出回路３９は、スイッチ１８の開閉状態を検出できる。制御回路３０はスイッチ１８がカム１７により閉状態にされてから経過した時間に基づいて、回転アンテナ９がどのような回転角度にあるか検出することができる。また、制御回路３０は、スイッチ１８が前記カム１７の時間間隔（大）のスイッチ作動部の位置で閉状態にされてから（回転アンテナ９の基準位置）同期モータ１４への通電を停止するまでの時間を制御することにより、回転アンテナ９を特定の位置（赤外線センサー１９で検出した食品の載置位置）で停止することができる。これにより食品を効率よくマイクロ波で加熱できる。従って、回転アンテナ９の回転動作を制御する回転制御手段は、同期モータ１４と、回転アンテナ通電回路３６と、スイッチ３６ａと、ギア１６および駆動ギア１５と、制御回路３０とで構成されている。なお、マグネトロン１２は、マグネトロン１２に高電圧を供給するために備えられている高圧トランス４０、スイッチ３８ａ、ドアの開閉により作動されるドアスイッチ４１、ヒューズ３２を介して交流電源３１と接続されている。
【００１５】
図５について説明する。調理器は正面を除いて外装５１で覆われ、食品を収納する加熱室５３の前面開口５２を開閉するドア５４が設けられている。前記ドア５４には突起５４ａが設けられている。前記ドア５４を閉じると、キャビティ前面板５５に形成された穴５５ａを介して、突起５４ａが調理器本体内に入り、そこに配置されたドアスイッチ８１（図７）を作動する。また、前記加熱室５３の下方には食品を載せるターンテーブル５８が設けられている。なお、前記ドア５４の右側には操作パネル５７が設けられている。
【００１６】
図６について説明する。赤外線センサー６９には、赤外線量を検出するための検出孔６９ａが設けられ、食品の温度検出する。加熱室５３の外部には、マイクロ波を供給するマグネトロン６２が設けられ、前期マイクロ波は導波管６３を通り加熱室５３の天面６１に形成されているマイクロ波給電口６１ａより加熱室５３に導入される。食品を載置するターンテーブル５８は軸６０に固定されている。前記ターンテーブル５８の駆動装置は、図２の回転アンテナ９の駆動装置と同じであるので、説明を省略する。
【００１７】
次に図７について説明する。調理器は、動作を全体的に制御する制御回路７０を備えている。制御回路７０は、マイクロコンピュターを含む。ヒーュズ７２は、調理器に異常な電流が流れ込むことを防ぐ。制御回路７０と交流電源７１との間には、トランンス７３が接続されている。また、トランンス７３と制御回路７０との間には、整流回路７４、定電圧回路７５が制御回路７０と直列に接続されている。また、制御回路７０には、被加熱物位置検出回路７７、および、マグネトロン通電回路７８が接続されており、これらの回路の動作は、制御回路７０により制御されている。さらに、制御回路７０には、操作パネル５７、赤外線センサー６９、およびターンテーブル位置検出回路７９が接続されている。操作パネル５７に入力された情報、および赤外線センサー６９の検出出力は、制御回路７０に送られる。また、加熱室５３における赤外線センサー６９の視野の位置も、制御回路６０に送られる。被加熱物位置検出回路７７は、赤外線センサー６９の検出出力と赤外線センサー６９の視野の位置から、加熱室５３内の食品の位置を検出することができる。より詳しくは、赤外線センサー６９の検出出力に基づいて決定された温度がピークを示したときの、赤外線センサー６９の視野の位置がターンテーブル５８上の食品の載置位置であると決定される。回転アンテナ通電回路６６は、同期モータ１４への通電状態を切換えるスイッチ７６ａの開閉を切換えことができる。また、制御回路６０は、同期モータ１４の駆動状況をターンテーブル位置検出回路６９を介して、検出することができる。より詳しく説明すると、ターンテーブル位置検出回路７９には、カム１７により作動されるスイッチ１８が接続されている。スイッチ１８は、通常は開（ＯＦＦ）状態である。同期モータ１４は、カム１７を介してスイッチ１８の開閉状態を切換えることができる。同期モータ１４は、所定の周期で回転するが、回転する際、一周期で前記カム１７のスイッチ作動部（１７ａ、１７ｂ、１７ｃ）を介してスイッチ１８を３回閉（ＯＮ）状態とする。スイッチ１８が閉じられる時の前記カム１７の時間間隔が（大）のスイッチ作動部の位置でのターンテーブル５８の位置が、ターンテーブル５８の基準位置である。ターンテーブル位置検出回路７９は、スイッチ１８の開閉状態を検出できる。制御回路７０はスイッチ１８がカム１７により閉状態にされてから経過した時間に基づいて、ターンテーブル５８がどのような回転角度にあるか検出することができる。また、制御回路７０は、スイッチ１８が前記カム１７の時間間隔（大）のスイッチ作動部の位置で閉状態にされてから（ターンテーブル５８の基準位置）同期モータ１４への通電を停止するまでの時間を制御することにより、ターンテーブル５８の回転方向に関係なく、特定の位置（前記赤外線センサー６９により食品の温度を検知できる位置）でターンテーブル５８を停止することができる。これにより、前記赤外線センサー６９で食品の温度を検知しながらマグネトロン６２の出力を制御して、食品を効率よく加熱ができる。従って、ターンテーブル５８の回転動作を制御する回転制御手段は、同期モータ１４と、ターンテーブル通電回路７６と、スイッチ７６ａと、ギア１６および駆動ギア１５と、制御回路７０とで構成されている。また、前記ターンテーブル５８を特定の位置で停止するための構造も簡単であるのでコストもかからない。なお、マグネトロン６２は、マグネトロン６２に高電圧を供給するために備えられている高圧トランス８０、スイッチ７８ａ、ドアの開閉により作動されるドアスイッチ８１、ヒューズ７２を介して交流電源７１と接続されている。
【図面の簡単な説明】
【図１】第一の発明の調理器のドアを開けた時の斜視図である。
【図２】図１のＡ−Ｂ線断面図である。
【図３】図２の下側より見た要部平面図である。
【図４】第一の発明の調理器のブロック回路図である。
【図５】第二の発明の調理器の図１に相当する図である。
【図６】同調理器の図２に相当する図である。
【図７】同調理器のブロック回路図である。
【符号の説明】
２        開口
３        加熱室
４        ドア
８        棚
９        回転アンテナ
１０      軸
１１      底壁
１２      マグネトロン
１４      同期モータ
１７      カム
１８      スイッチ
１９      赤外線センサ
３０      制御回路
３６      回転アンテナ通電回路
３６ａ    スイッチ
３７      被加熱物位置検出回路
３９      回転アンテナ位置検出回路
５２      開口
５２      加熱室
５４      ドア
５８      ターンテーブル
６０      軸
６２      マグネトロン
６９      赤外線センサ
７０      制御回路
７６      回転アンテナ通電回路
７６ａ    スイッチ
７７      被加熱物位置検出回路
７９      回転アンテナ位置検出回路
【図１】
2004265751.tif 000003
【図２】
2004265751.tif 000004
【図３】
2004265751.tif 000005
【図４】
2004265751.tif 000006
【図５】
2004265751.tif 000007
【図６】
2004265751.tif 000008
【図７】
2004265751.tif 000009